(57)【要約】【課題】外部照明機能を備えた携帯型電子機器において、光の取り込み量を多くして外部照明光の出力性能を向上する。【解決手段】機器内部に実装された照明用光源１３と、この照明用光源１３からの光を機器外部に導いて機器外部を照明する導光部材２０とを備える携帯型電子機器であって、導光部材２０の照明用光源１３側の外周を広げた形状（テーパ状拡径部２５参照）に形成する。このように導光部材２０の照明用光源１３側が外周を広げた形状（テーパ状拡径部２５）となっているので、照明用光源１３からの光の取り込み量が多くなって、外部照明光の出力性能が向上する。なお、導光部材２０の照明用光源１３側は、当該照明用光源１３からの光を集光するレンズ面２３に形成されている。また、導光部材２０の照明用光源１３側は、機器内面に重なるフランジ部２２に形成されている。【選択図】図２
2006284683.tif 000002
【特許請求の範囲】
【請求項１】
機器内部に実装された照明用光源と、この照明用光源からの光を機器外部に導いて機器外部を照明する導光部材とを備える携帯型電子機器であって、
前記導光部材の前記照明用光源側の外周を広げた形状に形成したことを特徴とする携帯型電子機器。
【請求項２】
機器内部に実装された照明用光源と、この照明用光源からの光を機器外部に導いて機器外部を照明する導光部材と、この導光部材の側方に配置した報知用光源とを備える携帯型電子機器であって、
前記導光部材の前記報知用光源側の側部を当該導光部材の厚み方向に広げた形状に形成したことを特徴とする携帯型電子機器。
【請求項３】
前記導光部材の前記照明用光源側が、当該照明用光源からの光を集光するレンズ面に形成されていることを特徴とする請求項１または２に記載の携帯型電子機器。
【請求項４】
前記導光部材の前記照明用光源側が、当該照明用光源からの光を集光するレンズ面に形成されるとともに、このレンズ面の中央部から前記報知用光源側が平坦面に形成されていることを特徴とする請求項２に記載の携帯型電子機器。
【請求項５】
前記導光部材の前記照明用光源側が、機器内面に重なるフランジ部に形成されていることを特徴とする請求項１から４のいずれか一項に記載の携帯型電子機器。
【請求項６】
前記導光部材の前記報知用光源側の側部が、当該報知用光源からの光を集光するレンズ面に形成されていることを特徴とする請求項２から５のいずれか一項に記載の携帯型電子機器。
【請求項７】
機器内部に実装された照明用光源からの光を機器外部に導いて機器外部を照明する導光部材であって、
前記照明用光源側の外周を広げた形状に形成したことを特徴とする導光部材。
【請求項８】
機器内部に実装された照明用光源からの光を機器外部に導いて機器外部を照明するとともに、側方に報知用光源が配置された導光部材であって、
前記報知用光源側の側部を当該導光部材の厚み方向に広げた形状に形成したことを特徴とする導光部材。
【請求項９】
前記照明用光源側が、当該照明用光源からの光を集光するレンズ面に形成されていることを特徴とする請求項７または８に記載の導光部材。
【請求項１０】
前記照明用光源側が、当該照明用光源からの光を集光するレンズ面に形成されるとともに、このレンズ面の中央部から前記報知用光源側が平坦面に形成されていることを特徴とする請求項８に記載の導光部材。
【請求項１１】
前記照明用光源側が、機器内面に重なるフランジ部に形成されていることを特徴とする請求項７から１０のいずれか一項に記載の導光部材。
【請求項１２】
前記報知用光源側の側部が、当該報知用光源からの光を集光するレンズ面に形成されていることを特徴とする請求項８から１１のいずれか一項に記載の導光部材。
【発明の詳細な説明】
【技術分野】
【０００１】
本発明は、機器内部に実装された光源で機器外部を照明する機能を備えた携帯型電子機器および光源の光を機器外部へ導出するための導光部材に関する。
【背景技術】
【０００２】
この種の電子機器としては、従来、光源を単なる外部照明用のランプとして備えた携帯電話機（特許文献１参照）や、夜間撮影のためのフラッシュ（照明ランプ）として備えたカメラ付き携帯電話機（特許文献２参照）が提案されている。
特許文献１には、光源及び光源の光を機器外部へ導出するための光学系についての詳細な実装構造は示されていないが、特許文献２では、ケースの開口部（窓部）に取り付けられた透明な窓部材の内側に、フラッシュ（照明ランプ）の光源となるＬＥＤを窓部材に対向させて配置すると共に、透明な窓部材とＬＥＤとの間にプリズムシートなどの集光部材を配置する構成となっている。また、必要に応じて、更に、光拡散シートを透明な窓部材と集光部材との間に配置する構成となっている。
【０００３】
また、カメラ付き携帯電話機においては、照明用の光と報知用の光を同一の窓部から出力するようにしたものも提案されている（特許文献３参照）。
この特許文献３では、先端がケースの開口部から露出する状態で位置決め固定された発光用レンズの内側に、フラッシュ（照明ランプ）の光源となる白色ＬＥＤを発光用レンズに対向させて配置すると共に、発光用レンズと白色ＬＥＤとの間にプリズムシートなどの集光部材を配置し、更に、発光用レンズの側方に着信報知用のＬＥＤを配置し、着信報知用ＬＥＤからの光も発光用レンズの先端から出力される構成となっている。
【特許文献１】特開２０００−２５３１２５号公報
【特許文献２】特開２００４−２０５６６６号公報
【特許文献３】特開２００４−３１７８９１号公報
【発明の開示】
【発明が解決しようとする課題】
【０００４】
前述したように、光源からの光を集光させる技術はあるものの、その集光させた光の外部への出力に関して、その光の出力性能を向上させる対策は従来なされていなかった。
また、着信報知用ＬＥＤからの光については、その光を多く取り込むための対策も従来なされていなかった。
【０００５】
本発明の課題は、外部照明機能を備えた携帯型電子機器において、光の取り込み量を多くして外部照明光の出力性能を向上することである。
また、本発明の課題は、外部照明機能を備えた携帯型電子機器において、光の取り込み量を多くして報知光の出力性能を向上することである。
【課題を解決するための手段】
【０００６】
以上の課題を解決するため、請求項１に記載の発明は、例えば図２および図３に示すように、機器内部に実装された照明用光源１３と、この照明用光源１３からの光を機器外部に導いて機器外部を照明する導光部材２０とを備える携帯型電子機器であって、前記導光部材２０の前記照明用光源１３側の外周を広げた形状（テーパ状拡径部２５参照）に形成したことを特徴とする。
【０００７】
請求項７に記載の発明は、例えば図２および図３に示すように、機器内部に実装された照明用光源１３からの光を機器外部に導いて機器外部を照明する導光部材２０であって、前記照明用光源１３側の外周を広げた形状（テーパ状拡径部２５参照）に形成したことを特徴とする。
【０００８】
請求項１または７に記載の発明によれば、導光部材の照明用光源側が外周を広げた形状となっているので、照明用光源からの光の取り込み量が多くなる。従って、外部照明光の出力性能が向上する。
【０００９】
請求項２に記載の発明は、例えば図４および図５に示すように、機器内部に実装された照明用光源１３と、この照明用光源１３からの光を機器外部に導いて機器外部を照明する導光部材２０と、この導光部材２１の側方に配置した報知用光源１４とを備える携帯型電子機器であって、前記導光部材２０の前記報知用光源１４側の側部２４を当該導光部材２０の厚み方向に広げた形状（テーパ状厚肉部２６参照）に形成したことを特徴とする。
【００１０】
請求項８に記載の発明は、例えば図４および図５に示すように、機器内部に実装された照明用光源１３からの光を機器外部に導いて機器外部を照明するとともに、側方に報知用光源１４が配置された導光部材２０であって、前記報知用光源１４側の側部２４を当該導光部材２０の厚み方向に広げた形状（テーパ状厚肉部２６参照）に形成したことを特徴とする。
【００１１】
請求項２または８に記載の発明によれば、機器内部に実装された照明用光源からの光を機器外部に導いて機器外部を照明する導光部材において、その報知用光源側の側部が当該導光部材の厚み方向に広げた形状となっているので、報知用光源からの光の取り込み量が多くなる。従って、報知光の出力性能が向上する。
【００１２】
請求項３に記載の発明は、請求項１または２に記載の携帯型電子機器であって、例えば図２から図５に示すように、前記導光部材２０の前記照明用光源１３側が、当該照明用光源１３からの光を集光するレンズ面２３に形成されていることを特徴とする。
【００１３】
請求項９に記載の発明は、請求項６または７に記載の導光部材２０であって、例えば図２から図５に示すように、前記照明用光源１３側が、当該照明用光源１３からの光を集光するレンズ面２３に形成されていることを特徴とする。
【００１４】
請求項３または９に記載の発明によれば、導光部材の照明用光源側がレンズ面となっているので、照明用光源からの光を集光して外部に出力できる。従って、請求項１、２、６または７に記載の発明において、外部照明光の出力性能がさらに向上する。
【００１５】
請求項４に記載の発明は、請求項２に記載の携帯型電子機器であって、例えば図６から図８に示すように、前記導光部材３０の前記照明用光源１３側が、当該照明用光源１３からの光を集光するレンズ面２３に形成されるとともに、このレンズ面２３の中央部から前記報知用光源１４側が平坦面２７に形成されていることを特徴とする。
【００１６】
請求項１０に記載の発明は、請求項８に記載の導光部材２０であって、例えば図６から図８に示すように、前記照明用光源１３側が、当該照明用光源１３からの光を集光するレンズ面２３に形成されるとともに、このレンズ面２３の中央部から前記報知用光源１４側が平坦面２７に形成されていることを特徴とする。
【００１７】
請求項４または１０に記載の発明によれば、導光部材の照明用光源側がレンズ面となっているので、照明用光源からの光を集光して外部に出力でき、また、レンズ面の中央部から報知用光源側が平坦面となっているので、報知用光源からの光の取り込み量がさらに多くなる。従って、請求項２または８に記載の発明において、外部照明光および報知光の出力性能が共にさらに向上する。
【００１８】
請求項５に記載の発明は、請求項１から４のいずれか一項に記載の携帯型電子機器であって、例えば図２から図８に示すように、前記導光部材２０の前記照明用光源１３側が、機器内面に重なるフランジ部２２に形成されていることを特徴とする。
【００１９】
請求項１１に記載の発明は、請求項７から９のいずれか一項に記載の導光部材２０であって、例えば図２から図８に示すように、前記照明用光源１３側が、機器内面に重なるフランジ部２２に形成されていることを特徴とする。
【００２０】
請求項５または１１に記載の発明によれば、導光部材の照明用光源側がフランジ部となっているので、このフランジ部を機器内面に重ねて固定できる。
【００２１】
請求項６に記載の発明は、請求項２から５のいずれか一項に記載の携帯型電子機器であって、例えば図９および図１０に示すように、前記導光部材２０の前記報知用光源１４側の側部２４が、当該報知用光源１４からの光を集光するレンズ面２８・２９に形成されていることを特徴とする。
【００２２】
請求項１２に記載の発明は、請求項８から１１のいずれか一項に記載の導光部材２０であって、例えば図９および図１０に示すように、前記報知用光源１４側の側部２４が、当該報知用光源１４からの光を集光するレンズ面２８・２９に形成されていることを特徴とする。
【００２３】
請求項６または１２に記載の発明によれば、導光部材の報知用光源側の側部がレンズ面となっているので、報知用光源からの光を集光して外部に出力できる。従って、請求項２から５、８から１１に記載の発明において、報知光の出力性能がさらに向上する。
【発明の効果】
【００２４】
本発明によれば、照明用光源側の外周を広げた形状の導光部材により、照明用光源からの光の取り込み量を多くできるため、外部照明光の出力性能向上を達成できる。
また、報知用光源側の側部を厚み方向に広げた形状の導光部材により、報知用光源からの光の取り込み量を多くできるため、外部照明光用の導光部材でありながら、報知光の出力性能向上を達成できる。
【発明を実施するための最良の形態】
【００２５】
以下、図を参照して本発明を実施するための最良の形態を詳細に説明する。
本発明を適用した携帯型電子機器の一実施形態として折畳み式携帯電話機を示す図１において、１は操作部筐体、２は表示部筐体、３はヒンジ部、４はサブ表示部、５はカメラ部、６はフラッシュライト部である。
この折畳み式携帯電話機は、操作部筐体１と表示部筐体２がヒンジ部３により結合されており、その表示部筐体２の外表面に、図示のように、サブ表示部４、カメラ部５およびフラッシュライト部６が備えられている。
以下の実施形態では、上記折畳み式携帯電話機が防水タイプである場合を例に、外部照明光を出力するフラッシュライト部６について説明する。
【００２６】
（実施形態１）
図２は実施形態１の構成を示すもので、２はケース（表示部筐体）、６はフラッシュライト部、７はカメラモジュール、８はカメラモジュールハウジング、１０はフラッシュライトモジュール、１１は中枠（フラッシュライトハウジング）、１２はプリント配線基板（回路基板）、１３は白色ＬＥＤ（照明用光源）、１５は保護パネル、１７はリング、２０は導光部材である。
表示部筐体を構成するケース２の内部には、フラッシュライト部６の近傍に、カメラモジュール７およびカメラモジュールハウジング８が配置されるとともに、フラッシュライト部６に対応するフラッシュライトモジュール１０が配置されている。フラッシュライトモジュール１０は、フラッシュライトハウジングをなす中枠１１と、回路基板であるプリント配線基板１２に搭載した照明用光源としての白色ＬＥＤ１３とから構成されている。      
【００２７】
ケース２のフラッシュライト部６の外表面には、透明の保護パネル１５およびその周囲を覆うリング１７が、それぞれ防水型の両面テープ１６・１８で貼り付けられている。
また、ケース２のフラッシュライト部６の内側面には、透明の導光部材２０が両面テープ１９で貼り付けられている。
なお、保護パネル１５やリング１７を設けない構成の場合には、導光部材２０をケース２の内側面に貼り付ける両面テープ１９を防水型の両面テープにする。
【００２８】
導光部材２０は、図示例では、上半部をケース２のフラッシュライト用孔に臨ませる円形部２１に形成して、下半部をケース２の内側面に重なるフランジ部２２に形成してなるもので、フランジ部２３は平面視で矩形状（図３参照）となっている。
そして、図３にも示すように、フランジ部２２の下面には、外部照明用であるカメラ補助光を出力する白色ＬＥＤ１３の光を集光して円形部２１の上面からより多く出力させるために球面状に突出するレンズ面２３に形成されている。
さらに、円形部２１の基部は、白色ＬＥＤ１３の光をより多く取り入れて上面からより多く出力させるために、外周をフランジ部２２側に向けて徐々に広げた形状のテーパ状拡径部２５に形成されている。
【００２９】
このように、導光部材２０は白色ＬＥＤ１３側がレンズ面２３のため、白色ＬＥＤ１３からの光を集光でき、しかも、導光部材１０は円形部２１の基部が外周をフランジ部２２側に向けて徐々に広げたテーパ状拡径部２５のため、白色ＬＥＤ１３からの光の取り込み量が多くなる。
これにより、導光部材１０は円形部２１の上面より白色ＬＥＤ１３からの光を多く出力でき、従って、フラッシュライトの出力性能を従来よりも向上できる。
【００３０】
（実施形態２）
図４は実施形態２の構成を示すもので、前述した実施形態１と同様の導光部材２０の構成に加えて、プリント配線基板１２の白色ＬＥＤ１３の近傍に、電話やメールの着信の報知や低電圧や充電中の報知などを行うための報知用光源として３色の報知用ＬＥＤ１４が搭載されている。
そして、導光部材２０は、レンズ面２３およびテーパ状拡径部２５を有するとともに、図５にも示すように、フランジ部２２の報知用ＬＥＤ１４側の側部２４に、報知用ＬＥＤ１４の光をより多く取り込めるように、下面側に広げた形状のテーパ状厚肉部２６が形成されている。すなわち、このテーパ状厚肉部２６はレンズ面２３側に向けて徐々に薄くなる形状となっている。
さらに、球面状に突出しているレンズ面２３の表面は、フランジ部２２の側部２４から取り込まれた報知用ＬＥＤ１４の光を円形部２１に反射してその上面からより多く出力させるためにブラスト処理されている。
【００３１】
このように、導光部材２０はフランジ部２２の報知用ＬＥＤ１４側の側部２４が厚み方向に広げたテーパ状厚肉部２６のため、報知用ＬＥＤ１４からの光の取り込み量が多くなる。
これにより、前述した実施形態１により得られる効果に加えて、導光部材１０は円形部２１の上面より報知用ＬＥＤ１４からの光を多く出力でき、従って、着信報知などの報知光の出力性能を従来よりも向上できる。
その上、球面状に突出しているレンズ面２３がブラスト処理した表面のため、フランジ部２２に側部２４から取り込まれた報知用ＬＥＤ１４の光をレンズ面２３のブラスト処理表面により円形部２１に反射できる。従って、着信報知などの報知光の出力性能をさらに向上できる。
【００３２】
（実施形態３）
図６は実施形態３の構成を示すもので、前述した実施形態２と同様構成の導光部材２０に変更を施している。
すなわち、導光部材２０は、レンズ面２３、テーパ状拡径部２５およびテーパ状厚肉部２６を有するとともに、図７および図８にも示すように、フランジ部２２を厚肉に形成して、球面状に突出しているレンズ面２３の中央部からテーパ状厚肉部２６側が平坦面２７に形成されている。
【００３３】
このように、導光部材２０は球面状に突出したレンズ面２３の中央部から報知用ＬＥＤ１４からの光を取り込むテーパ状厚肉部２６側にかけて平坦面２７のため、報知用ＬＥＤ１４からの光の取り込み量がより多くなる。
これにより、前述した実施形態２により得られる効果に加えて、導光部材１０は円形部２１の上面より報知用ＬＥＤ１４からの光をより多く出力でき、従って、着信報知などの報知光の出力性能をさらに向上できる。
また、フランジ部２２を厚肉に形成して、球面状に突出したレンズ面２３の周辺部を切り欠いていないことから、取扱い時にレンズ面２３にキズがつき難いといった利点も得られる。
【００３４】
（変形例）
図９は変形例を示すもので、前述した実施形態３の同様構成の導光部材２０に変更を施している。
すなわち、導光部材２０は、報知用ＬＥＤ１４側の側部２４の端面が、図示のように、側面視で厚み方向に円弧状に突出するレンズ面２８に形成されている。なお、このような構成の変更は、実施形態２の導光部材２０に対しても同様に実施し得る。
【００３５】
このように、導光部材２０は報知用ＬＥＤ１４側の側部２４の端面が側面視で厚み方向に円弧状に突出するレンズ面２８のため、報知用ＬＥＤ１４からの光を集光できる。
これにより、前述した実施形態２や３により得られる効果に加えて、導光部材１０は円形部２１の上面より報知用ＬＥＤ１４からの光をより多く出力でき、従って、着信報知などの報知光の出力性能をさらに向上できる。
【００３６】
図１０は変形例を示すもので、前述した実施形態３の同様構成の導光部材２０に変更を施している。
すなわち、導光部材２０は、報知用ＬＥＤ１４側の側部２４の端面が、図示のように、厚み方向と幅方向の両方で球面状に突出するレンズ面２９に形成されている。なお、このような構成の変更は、実施形態２の導光部材２０に対しても同様に実施し得る。
【００３７】
このように、導光部材２０は報知用ＬＥＤ１４側の側部２４の端面が厚み方向と幅方向の両方で球面状に突出するレンズ面２９のため、報知用ＬＥＤ１４からの光を集光できる。
これにより、前述した実施形態２や３により得られる効果に加えて、導光部材１０は円形部２１の上面より報知用ＬＥＤ１４からの光をより多く出力でき、従って、着信報知などの報知光の出力性能をさらに向上できる。
【００３８】
なお、以上の実施形態においては、折畳み式携帯電話機としたが、一体型携帯電話機にも同様に適用でき、さらに本発明はこれに限定されるものではなく、デジタルカメラやＰＤＡやその他の外部照明機能を備える携帯型電子機器であっても良い。
また、光源もＬＥＤの他に適宜のものを採用でき、さらに、導光部材の材質や細部の形状等も任意である。その他、具体的な細部構造等についても適宜に変更可能であることは勿論である。
【図面の簡単な説明】
【００３９】
【図１】本発明を適用した携帯型電子機器の一実施形態の構成を示すもので、折畳み式携帯電話機の外観を示した正面図（ａ）及び両側面図（ｂ）（ｃ）である。
【図２】実施形態１の構成を示すもので、図１の要部断面図である。
【図３】図２の導光部材の六面図（ａ）（ｂ）（ｃ）（ｄ）（ｅ）（ｆ）である。
【図４】実施形態２の構成を示すもので、図１の要部断面図である。
【図５】図４の導光部材の六面図（ａ）（ｂ）（ｃ）（ｄ）（ｅ）（ｆ）である。
【図６】実施形態３の構成を示すもので、図１の要部断面図である。
【図７】図６の導光部材の六面図（ａ）（ｂ）（ｃ）（ｄ）（ｅ）（ｆ）である。
【図８】図６の導光部材を裏面側から見た斜視図である。
【図９】変形例を示すもので、図８に示した導光部材に対応する裏面側から見た斜視図である。
【図１０】変形例を示すもので、図８に示した導光部材に対応する裏面側から見た斜視図である。
【符号の説明】
【００４０】
１３  照明用光源
１４  報知用光源
２０  導光部材
２１  円形部
２２  フランジ部
２３  レンズ面
２４  側部
２５  テーパ状拡径部
２６  テーパ状厚肉部
２７  平坦面
２８  レンズ面
２９  レンズ面
【図１】
2006284683.tif 000003
【図２】
2006284683.tif 000004
【図３】
2006284683.tif 000005
【図４】
2006284683.tif 000006
【図５】
2006284683.tif 000007
【図６】
2006284683.tif 000008
【図７】
2006284683.tif 000009
【図８】
2006284683.tif 000010
【図９】
2006284683.tif 000011
【図１０】
2006284683.tif 000012